(57)【特許請求の範囲】
【請求項１】
建築物の出入り口部に一体化されるドア枠と該ドア枠に開閉揺動自在に設けられるドア体とからなるドア装置において、既存のドア体を新規施錠具を備えた新規ドア体にリフォームするにあたり、既存の施錠具が係脱するべく戸先側ドア枠内に挿入固定される既存の錠受け金具を、戸先側ドア枠のドア体側端面に形成される既存の開口から取外し、該既存の錠受け金具が取外されたドア体側端面に新規施錠具に対応する新規開口を形成し、該新規開口の開設部位に錠受けユニットを配設する構成とし、該錠受けユニットは、ベースプレートに新規施錠具が係脱する新規錠受け金具が予め固定されたものとし、該新規錠受け金具に備えられたカバー体を、前記新規開口を介して既存の戸先側ドア枠に挿入組込みする構成にすると共に、前記ベースプレートは、既存開口および新規開口を覆蓋し、且つ、既存のドア体側端面の上下方向長さ内および屋内外方向幅内に納まる上下方向長さおよび板幅を有した平板状のものとし、該ベースプレートを、既存の戸先側ドア枠のドア体側端面に突当てて固定する構成としたことを特徴とするドア装置のリフォームにおけるドア枠構造。
【請求項２】
錠受けユニットは、複数の錠受け金具が組込まれていることを特徴とする請求項１に記載のドア装置のリフォームにおけるドア枠構造。
【発明の詳細な説明】
【技術分野】
【０００１】
本発明は、住宅やマンション等の出入り口部等の外壁に設けられるドア装置のリフォームにおけるドア枠構造の技術分野に関するものである。
【背景技術】
【０００２】
一般に、住宅やマンションの出入り口部等の外壁に設けられるドア装置において、これが特に玄関口に設けられるドア装置のように、外観上の観点から高い意匠性が要求されるようなドア装置においては、経年変化に伴いリフォームされることが多い。また、外壁に設けられるドア装置では、防犯性の観点からも、より防犯性の高い施錠装置を具備したドア装置とすることが望まれ、近年、意匠性、防犯性の両者を満足するようなリフォームのニーズが高まっている。このように、新規ドア体と既存ドア体とで施錠装置の形状や様式が異なるリフォームをする場合では、ドア枠の戸先側となる戸先側ドア枠に挿入される施錠装置の錠受け金具の設置位置や形状が既存のものと異なり、錠受け金具を挿入するためのドア体側端面に設けられる開口の位置を変更しなければならず、既存のドア枠をそのまま用いることはできない。そこで、ドア体とドア枠との両者を新規なものに取替えるようなリフォームが提唱されるが、このようにすることは、躯体側の工事（例えば、タイル工事、塗装工事等）が必要になり、工期が長期にわたるばかりでなく、コスト的にも高価なものとなり、手軽にリフォームできないという問題がある。そこで、既存のドア枠をそのまま残すようにリフォームする方式が提唱されている。
【先行技術文献】
【特許文献】
【０００３】
【特許文献１】特開２００６−３１２８４９号公報
【発明の概要】
【発明が解決しようとする課題】
【０００４】
しかしながら、前記従来のものは、既存のドア枠をそのまま残すため躯体工事は不要になるものの、新規に設けられるドア体の他に、該新規ドア体に設けられる施錠装置の施錠具に対応する錠受け金具を備えた戸先側ドア枠（縦枠）を用意し、該用意した新規の戸先側縦枠を既存の戸先側ドア枠に対して固定する構成となっている。このため、新規の戸先側ドア枠と既存の戸先側ドア枠とが積層して設けられる分、出入り口部の間口幅が狭められてしまい、有効な間口幅が損なわれるという問題がある。しかも、このものでは、ドア体の間口幅を狭く変更しなければならないため、ドア体を特別仕様で形成する必要があるばかりでなく、専用の戸先側ドア枠を用意しなければならない分、コスト高になり、さらには、設置時の作業工程数も多くなって煩雑になり、工期の短縮化が損なわれるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、建築物の出入り口部に一体化されるドア枠と該ドア枠に開閉揺動自在に設けられるドア体とからなるドア装置において、既存のドア体を新規施錠具を備えた新規ドア体にリフォームするにあたり、既存の施錠具が係脱するべく戸先側ドア枠内に挿入固定される既存の錠受け金具を、戸先側ドア枠のドア体側端面に形成される既存の開口から取外し、該既存の錠受け金具が取外されたドア体側端面に新規施錠具に対応する新規開口を形成し、該新規開口の開設部位に錠受けユニットを配設する構成とし、該錠受けユニットは、ベースプレートに新規施錠具が係脱する新規錠受け金具が予め固定されたものとし、該新規錠受け金具に備えられたカバー体を、前記新規開口を介して既存の戸先側ドア枠に挿入組込みする構成にすると共に、前記ベースプレートは、既存開口および新規開口を覆蓋し、且つ、既存のドア体側端面の上下方向長さ内および屋内外方向幅内に納まる上下方向長さおよび板幅を有した平板状のものとし、該ベースプレートを、既存の戸先側ドア枠のドア体側端面に突当てて固定する構成としたことを特徴とするドア装置のリフォームにおけるドア枠構造である。
請求項２発明は、錠受けユニットは、複数の錠受け金具が組込まれていることを特徴とする請求項１に記載のドア装置のリフォームにおけるドア枠構造である。
【発明の効果】
【０００６】
請求項１の発明とすることにより、新規ドア体にリフォームするにあたり、既存のドア枠を用いるものでありながら、出入り口部の有効な間口幅を殆ど変えることなく、新規錠受け金具を容易に、かつ、短期間で設けることができて、低コスト化に寄与できる。
請求項２の発明とすることにより、リフォームの作業工程が一層容易になって、さらなる工期の短縮に寄与できる。
【図面の簡単な説明】
【０００７】
【図１】新規ドア装置の概略正面図である。
【図２】図１におけるＸ−Ｘ断面図である。
【図３】図３（Ａ）、（Ｂ）はそれぞれ操作装置の正面図、背面図である。
【図４】図４（Ａ）は戸先側ドア枠に新規第一、第二開口を形成した状態の側面図、図４（Ｂ）は戸先側ドア枠に錠受けユニットを取付けた状態の側面図である。
【図５】図５（Ａ）、（Ｂ）、（Ｃ）はそれぞれ図４（Ｂ）の平面図、底面図、Ｘ−Ｘ断面図である。
【図６】図６（Ａ）、（Ｂ）、（Ｃ）、（Ｄ）、（Ｅ）はそれぞれ錠受けユニットの側面図、背面図、図６（Ａ）の平面図、底面図、Ｘ−Ｘ断面図である。
【図７】図７（Ａ）、（Ｂ）はそれぞれ戸先側ドア枠に既存第一、第二錠受け金具が組込まれた状態の側面図、平面図である。
【発明を実施するための形態】
【０００８】
以下、本発明の実施の形態について、図面に基づいて説明する。
図面において、１は住宅の玄関である出入り口部をリフォームすることにより構成された新規ドア装置であって、該新規ドア装置１を構成する新規ドア体２は、既存のドア体（図示せず）が取外された既存のドア枠３に対し、上下二箇所に設けられる蝶番３ａを介して開閉揺動自在に支持されており、ドア枠３内に位置して開口部を閉鎖する全閉姿勢と、屋内外方向一方（本実施の形態では屋外側）に揺動して開口部を開放する開放姿勢とに変姿するように構成されている。
【０００９】
前記新規ドア装置１は、既存ドア装置に設けられる施錠装置とは異なる防犯性の高い施錠装置を具備するように構成されており、新規ドア体２の戸先側には、後述する施錠具を備えた操作装置４が設けられている。前記操作装置４は、図２、３に示すように、新規ドア体２の屋内外面にそれぞれ一体的に固定される上下方向長尺状の固定部材５と、これら屋内外一対の固定部材５に対してそれぞれ屋内外方向に変位自在に設けられ、新規ドア体２の開閉操作をするための操作ハンドル６とを備えて構成されている。これら屋内外一対の操作ハンドル６は、新規第一施錠具Ｒとしてのラッチ錠の操作具に兼用されており、新規ドア体２の戸先側端面２ａから突出する突出姿勢と没入する没入姿勢とに出没変姿する新規ラッチボルト６ａに連動連結されている。前記新規ラッチボルト６ａは突出姿勢に付勢されているとともに、後述するように、新規ドア体２の戸先側端面２ａからの出没によりドア枠３の戸先側部位を構成する戸先側ドア枠７に係脱するように構成されている。そして、新規ラッチボルト６ａは、操作ハンドル６が固定部材５に対して押し／引き何れかの操作がなされて屋内外方向（新規ドア体２の開閉方向）に変位することに伴い付勢力に抗して没入姿勢に変姿するように構成されている。
【００１０】
さらに、操作装置４の固定部材５には、操作ハンドル６の上方に位置して主施錠装置としての新規第一シリンダー錠８（新規第二施錠具）が設けられ、操作ハンドル６の下方に位置して副施錠装置としての新規第二シリンダー錠９（新規第三施錠具）が設けられている。これら新規第一、第二シリンダー錠８、９は、それぞれ新規ドア体２の戸先側端面２ａから突出する突出姿勢と没入する没入姿勢とに出没変姿する新規第一、第二デッドボルト８ａ、９ａを備えて構成されており、後述するように、戸先側端面２ａからの出没により戸先側ドア枠７に係脱するように構成されている。
そして、新規第一デッドボルト８ａは、屋内外両側に設けられた内、外側鍵孔８ｂ、８ｃにそれぞれ図示しない内、外側用操作具（鍵）を挿入して回転操作（施錠−解錠操作）することにより戸先側端面２ａから出没作動するように構成されている。また、新規第二デッドボルト９ａは、屋内側に設けられた操作摘み９ｂを回転操作（施錠−解錠操作）すること、または、屋外側に設けられた鍵孔９ｃに図示しない第二操作具（鍵）を挿入して回転操作（施錠−解錠操作）することにより戸先側端面２ａから出没作動するように構成されている。
因みに、新規第一シリンダー錠８は、屋内側の内側鍵孔８ｂに挿入した内側用操作具を用いて施錠した後、内側用操作具を抜き取ることで新規第一デッドボルト８ａを突出姿勢に保持することができ、優れた防犯機能を発揮できるように構成されている。
【００１１】
さらに、前記新規第一、第二デッドボルト８ａ、９ａは、突出端部に上方に向けて出没自在な第一、第二補助施錠片８ｄ、９ｄが設けられて、所謂鎌錠を構成している。そして、これら新規第一、第二デッドボルト８ａ、９ａは、内、外用操作具、第二操作具、操作摘み９ｂの施錠−解錠操作がなされて突出姿勢と没入姿勢とに変姿することに連動して、第一、第二補助施錠片８ｄ、９ｄが上方に向けて出没するように構成されている。そして、後述するように、新規第一、第二デッドボルト８ａ、９ａの突出端部と第一、第二補助施錠片８ｄ、９ｄとの両者を戸先側ドア枠７側に係脱するように構成することで、新規第一、第二シリンダー錠８、９の抉じ開け防止が一層確実になされるように構成されており、これによって、新規第一、第二シリンダー錠８、９は一層優れた防犯性を備えた施錠具となっている。
尚、操作装置４を用いて全閉姿勢の新規ドア体２を開放操作する場合では、新規第一、第二シリンダー錠８、９の新規第一、第二デッドボルト８ａ、９ａを没入姿勢となるよう操作して解錠状態とするとともに、屋内外何れか一方の操作ハンドル６を、開放方向に向けて押し操作または引き操作することになるが、該操作ハンドル６を開放方向に操作することに伴い、操作ハンドル６が固定部材５に対して屋内外方向に変位することになり、新規ラッチボルト６ａが没入姿勢となって新規ラッチボルト６ａと戸先側ドア枠７との係合を解除（解錠）するように構成されている。これによって、操作ハンドル６の開放方向への操作がそのままラッチ錠（新規第一施錠具Ｒ）を解錠する操作となって、操作性よく新規ドア体２の開放操作ができるように構成されている。
【００１２】
一方、既存のドア枠３を構成する戸先側ドア枠７のドア体側端面７ａには、図４に示すように、新規ドア体２に設けられた操作装置４の配設位置に対向する部位を含むようにして新規第一、第二開口７ｂ、７ｃが開設されており、これら新規第一、第二開口７ｂ、７ｃの開設部位に、操作装置４に設けられた新規第一、第二、第三施錠具Ｒ、８、９（新規ラッチボルト６ａ、新規第一、第二デッドボルト８ａ、９ａ）が係脱するための錠受けユニット１０がドア体側端面７ａに沿って設けられている。
前記錠受けユニット１０は、戸先側ドア枠７のドア体側端面７ａに一体的に固定されて、新規のドア体側端面として機能する平板状のベースプレート１１に、新規ラッチボルト６ａと新規第一デッドボルト８ａ（新規第一施錠具Ｒと新規第二施錠具８）とが係脱する新規第一錠受け金具１２と、新規第二デッドボルト９ａ（新規第三施錠具９）が係脱する新規第二錠受け金具１３とが組込まれたものに構成されている。前記ベースプレート１１は、ドア体側端面７ａに開設される新規第一、第二開口７ｂ、７ｃを覆蓋する上下方向長さおよび板幅を有して形成されている。また、前記新規第一、第二錠受け金具１２、１３は、それぞれ新規第一、第二ロックプレート１４、１５と新規第一、第二カバー体１６、１７とを備えて構成されており、新規第一ロックプレート１４（新規第一錠受け金具１２）が、戸先側端面２ａから出没する新規ラッチボルト６ａ、新規第一デッドボルト８ａに係脱して新規ドア体２を施錠−解錠状態（開放規制−開放許容）とし、第二ロックプレート１５が、戸先側端面２ａから出没する新規第二デッドボルト９ａに係脱して新規ドア体２を施錠−解錠状態（開放規制−開放許容）とするように構成されている。尚、錠受けユニット１０の構成の詳細については後述する。
【００１３】
前記錠受けユニット１０は、新規第一、第二錠受け金具１２、１３の新規第一、第二カバー体１６、１７を、ドア体側端面７ａに開設された新規第一、第二開口７ｂ、７ｃを介して戸先側ドア枠７内に挿入し、ベースプレート１１をドア体側端面７ａに突当てた状態で固定することにより、ドア体側端面７ａに一体的に設けられている。これによって、新規第一、第二錠受け金具１２、１３はベースプレート１１をドア体側端面７ａに固定することにより、両者を一度に戸先側ドア枠７に組込むことができて取付け作業が容易になるように構成されている。そして、錠受けユニット１０が設けられた戸先側ドア枠７は、ドア体側端面７ａに新規ドア体側端面を構成するベースプレート１１が積層する分出入り口部側に突出するが、突出幅はベースプレート１１の板厚分だけであるのでドア枠３が形成する間口幅に殆ど影響を与えることはなく、有効な間口幅を損なうことがないように構成されている。これによって、既存のドア体を新規ドア体２にリフォームするにあたり、既存の戸先側ドア枠７をそのまま用いて、新規第一、第二、第三施錠具Ｒ、８、９に対応する第一、第二錠受け金具１２、１３を戸先側ドア枠７に設けるものでありながら、既存の戸先側ドア枠に新規戸先側ドア枠を積層状に取付ける従来のもののように間口幅が狭くなるようなことがないように構成されている。
【００１４】
つぎに、既存ドア装置を既存ドア枠３を用いる状態で新規ドア装置１にリフォームする手順を、戸先側ドア枠７のドア体側端面７ａに形成される新規第一、第二開口７ｂ、７ｃ、錠受けユニット１０の詳細な構成とともに説明する。
既存のドア装置を新規ドア装置１にリフォームする第一工程では、既存ドア装置のドア枠３から既存ドア体を取外す。
【００１５】
続く第二工程では、ドア枠３の戸先側ドア枠７から、既存ドア体に具備される既存の施錠具が係脱する既存第一、第二錠受け金具１８、１９を取外す。
ここで、前記戸先側ドア枠７は、金属製板材を適宜折曲することにより変則的な角筒形状に形成されており、全閉姿勢のドア体の戸先側端面に対向するドア体側端面７ａと、該ドア体側端面７ａの屋内側端縁に続いて段差状に折曲形成され、全閉姿勢のドア体の屋内側面に対向する戸当たり部７ｄとを備えて構成されている。そして、ドア体側端面７ａには、図７（Ａ）の点線でに示すように、上下方向に長い既存第一、第二開口７ｅ、７ｆとが上下方向に隣接して開設されており、上側の既存第一開口７ｅには既存第一錠受け金具１８が設けられ、図示しない既存ドア体側から出没する既存ラッチボルトと既存第一シリンダー錠の既存第一デッドボルトとが係脱するように構成されている。また、下側の既存第二開口７ｆには既存第二錠受け金具１９が設けられ、図示しない既存ドア体側から出没する既存第二シリンダー錠の既存第二デッドボルトが係脱するように構成されている。
因みに、前記既存ドア体に設けられた既存第一、第二シリンダー錠の既存第一、第二デッドボルトは鎌錠ではなく、補助施錠片が設けられない構成となっている。
【００１６】
また、前記既存第一、第二錠受け金具１８、１９は、図７（Ａ）、（Ｂ）に示すように、ドア体側端面７ａの外面（ドア体側の面）に積層状に配され、既存第一、第二開口７ｅ、７ｆに連通する既存第一、第二ロック孔１８ａ、１９ａが開設された既存第一、第二ロックプレート１８ｂ、１９ｂと、前記既存第一、第二ロック孔１８ａ、１９ａの孔縁に沿う溝側片を備えた既存第一、第二凹溝部１８ｃ、１９ｃおよびこれら既存第一、第二凹溝部１８ｃ、１９ｃの上下の溝側片の開口側端縁から上下に延出する既存第一、第二フランジ部１８ｄ、１９ｄとを備えた既存第一、第二カバー体１８ｅ、１９ｅとにより構成されており、既存第一、第二ロック孔１８ａ、１９ａに、既存ラッチボルトと既存第一デッドボルト、既存第二デッドボルトがそれぞれ出入りすることにより係脱して、既存ドア体が施錠−解錠されるように構成されている。
そして、これら既存第一、第二錠受け金具１８、１９は、既存第一、第二凹溝部１８ｃ、１９ｃをドア体側端面７ａに開設された既存第一、第二開口７ｅ、７ｆを介してそれぞれ戸先側ドア枠７内に挿入し、既存第一、第二ロックプレート１８ｂ、１９ｂの各上下端部と、上下の既存第一、第二フランジ部１８ｄ、１９ｄとのあいだに、既存第一、第二開口７ｅ、７ｆの上下の孔縁をそれぞれ挟み込む状態とし、これらを上下一対の既存第一、第二螺子１８ｆ、１９ｆにより螺着することにより、ドア体側端面７ａに一体化されている。
そして、既存第一、第二錠受け金具１８、１９は、前記既存第一、第二螺子１８ｆ、１９ｆを脱落することによりドア体側端面７ａから取外されるように構成されており、該取外しがなされると、ドア体側端面７ａには既存第一、第二開口７ｅ、７ｆが露出する状態となる。
【００１７】
つぎの第三工程では、前記既存第一、第二開口７ｅ、７ｆが予め開設されている戸先側ドア枠７のドア体側端面７ａに、新規第一、第二、第三施錠具Ｒ、８、９に対向して前述の新規第一、第二開口７ｂ、７ｃを開設する。
前記新規第一開口７ｂは、新規の操作装置４に設けられた新規ラッチボルト６ａと新規第一デッドボルト８ａとに対向する部位に位置して開設され、新規第一錠受け金具１２の新規第一カバー体１６を戸先側ドア枠７内に挿入可能な形状となっている。また、新規第二開口７ｃは、新規第二錠受け金具１３の新規第二カバー体１７を戸先側ドア枠７内に挿入するよう、新規の操作装置４に設けられた新規第二デッドボルト９ａに対向する部位に位置して開設され、新規第二錠受け金具１３の新規第二カバー体１７を戸先側ドア枠７内に挿入可能な形状となっている。
尚、本実施の形態では、既存ドア体に設けられていた既存ラッチボルト、既存第一、第二デッドボルトの配設位置と、新規ドア体２に設けられる新規ラッチボルト６ａ、新規第一、第二デッドボルト８ａ、９ａの配設位置とのズレが少なく、図４（Ａ）に示すように、新規第一開口７ｂは既存第一開口７ｅに続いて上方側部位を切欠き、新規第二開口７ｃは既存第二開口７ｆに続いて下方側部位を切欠くことにより形成されている。これによって、新規第一、第二開口７ｂ、７ｃはそれぞれ必要な上下方向長さ（新規第一、第二カバー体１６、１７を挿入可能な長さ）よりも長い形状となっている。
【００１８】
そして、第四工程において、戸先側ドア枠７のドア体側端面７ａに、新規第一、第二、第三施錠具Ｒ、８、９（新規ラッチボルト６ａ、第一、第二デッドボルト８ａ、９ａ）が係脱する新規第一、第二錠受け金具１２、１３が予め一体的に組込まれた錠受けユニット１０を固定する。
【００１９】
ここで、錠受けユニット１０について、図６の図面に基づいて詳述するが、前記錠受けユニット１０は、前述したように、上下方向長尺状の平板材で構成され、戸先側ドア枠７のドア体側端面７ａに積層状に突当てられて一体的に固定されることで、新規のドア体側端面として機能するベースプレート１１に、新規第一、第二錠受け金具１２、１３を予め固定したものに構成されている。前記ベースプレート１１は金属製（ステンレス製）板材で構成されており、ドア体側端面７ａに開設された新規第一、第二開口７ｂ、７ｃ（既存第一、第二開口７ｅ、７ｆを含む）を覆蓋することができる上下方向長さおよび板幅を有して形成されている。そして、ベースプレート１１には、第一、第二錠受け金具１２、１３が固定される部位に位置して第一、第二貫通孔１１ａ、１１ｂが上下方向に隣接して開設されるが、第一貫通孔１１ａは新規ドア体２に設けられるラッチボルト６ａと第一補助施錠片８ｄ付き第一デッドボルト８ａとが出入り自在な大きさに形成されており、第二貫通孔１１ｂは第二補助施錠片９ｄ付きの第二デッドボルト９ａが出入り自在な大きさに形成されていて、これら第一、第二貫通孔１１ａ、１１ｂの上下方向長さは戸先側枠体７のドア体側端面７ａに開設される新規第一、第二開口７ｂ、７ｃの上下方向長さよりも短い長さに設定されている。
【００２０】
一方、新規第一、第二錠受け金具１２、１３は、前述したように、新規第一、第二ロックプレート１４、１５と新規第一、第二カバー体１６、１７とを備えて構成されている。新規第一、第二ロックプレート１４、１５は、ベースプレート１１に開設された第一、第二貫通孔１１ａ、１１ｂを覆う平板材で構成されている。また、新規第一、第二カバー体１６、１７は、戸先側枠体７のドア体側端面７ａに開設される新規第一、第二開口７ｂ、７ｃに遊嵌する長さに形成されており、ベースプレート１１に開設された第一、第二貫通孔１１ａ、１１ｂの孔縁に沿う溝側片を備えた新規第一、第二凹溝部１６ａ、１７ａと、これら新規第一、第二凹溝部１６ａ、１７ａの上下の溝側片の開口側端縁から上下に延出する新規第一、第二フランジ部１６ｂ、１７ｂとにより構成されている。
【００２１】
そして、ベースプレート１１の第一、第二貫通孔１１ａ、１１ｂの孔縁における表裏面１１ｃ、１１ｄに、新規第一、第二ロックプレート１４、１５と新規第一、第二カバー体１６、１７とをそれぞれ突当て、これら突当て部である新規第一、第二ロックプレート１４、１５の上下端部と、新規第一、第二カバー体１６、１７の上下のフランジ部１６ｂ、１７ｂとを、それぞれあいだにベースプレート１１を挟む状態で新規第一、第二螺子１２ａ、１３ａを用いて螺着することにより、第一、第二錠受け金具１２、１３がベースプレート１１に一体的に固定されている。
そして、新規第一ロックプレート１４には、上下方向中間部の仕切り片１４ａの上側に新規第一デッドボルト８ａが係脱する上側ロック孔１４ｂが開設され、下側に新規ラッチボルト６ａが係脱する下側ロック孔１４ｃが開設されているが、これら上、下側ロック孔１４ｂ、１４ｃは、それぞれベースプレート第一貫通孔１１ａの上下方向中間部に対向して設けられており、新規第一デッドボルト８ａが突出姿勢になって、新規第一デッドボルト８ａの突出端部が上側ロック孔１４ｂの屋外側孔縁に係合するとき、第一補助施錠片８ｄは上側ロック孔１４ｂの上側孔縁に係合するように構成されている。尚、１４ｄは新規第一ロックプレート１４の屋外側端縁部に折曲形成された案内片である。
また、新規第二ロックプレート１５には、新規第二デッドボルト９ａが係脱する第二ロック孔１５ａが開設されるが、該第二ロック孔１５ａは、ベースプレート第二貫通孔１１ｂの上下方向中間部に対向するように設けられており、新規第二デッドボルト９ａが突出姿勢になって、新規第二デッドボルト９ａの突出端部が第二ロック孔１５ａの屋外側孔縁に係合するとき、第二補助施錠片９ｄは第二ロック孔１５ａの上側孔縁に係合するように構成されている。
【００２２】
そして、このように構成された錠受けユニット１０は、新規第一、第二カバー体１６、１７が設けられるベースプレート１１の裏面１１ｄ側を戸先側ドア枠７のドア体側端面７ａに対向させ、新規第一、第二カバー体１６、１７を、ドア体側端面７ａに開設された新規第一、第二開口７ｂ、７ｃを介して戸先側ドア枠７内に挿入し、ベースプレート１１の裏面をドア体側端面７ａに突当てた状態において、ベースプレート１１の適宜箇所に開設された複数の固定用貫通孔１１ｅを介して挿入したビス１１ｆをドア体側端面７ａに螺着することにより、ドア体側端面７ａに一体的に固定されるように構成されている。これによって、新規第一、第二錠受け金具１２、１３は、錠受けユニット１０のベースプレート１１をドア体側端面７ａに固定する作業をすることで、既存の戸先側ドア枠７に一体的に固定されるように構成されている。
そして、前述したように、この錠受けユニット１０のドア体側端面７ａへの固定状態において、ドア体側端面７ａには、新規のドア体側端面として機能するベースプレート１１と新規第一、第二ロックプレート１４、１５とが積層されており、新規ドア装置１におけるドア枠３の間口幅は、既存のドア装置におけるドア枠３の間口幅と殆ど変わることはなく、僅かにベースプレート１１の板厚分だけが開口側に突出する構成となっている。
【００２３】
そして、第五工程では、操作装置４を具備する新規ドア体２を、上下二箇所に設けられる蝶番３ａを介してドア枠３に開閉揺動自在に支持させる。これによって、既存のドア装置は、新規の第一、第二、第三施錠具Ｒ、８、９を備えた操作装置４を具備して防犯性、意匠性ともに優れた新規ドア体２を備えた新規ドア装置１にリフォームされる。
この場合に、前述したように、新規ドア装置１におけるドア枠３の間口幅は、既存のドア装置におけるドア枠３の間口幅よりもベースプレート１１の板厚分だけ幅狭となるが、ベースプレート１１の板厚を、戸先側ドア枠７のドア体側端面７ａと既存のドア体の戸先側端面とのあいだに形成されている「散り」よりも薄い板厚に設定することにより、有効な間口幅を損なうことがなくなって、新規ドア体２の仕様（間口幅）に影響を与えることがなく、既存のドア枠３をそのまま用いるものでありながら、汎用の間口幅のドア体をそのまま用いることができるように構成されている。
【００２４】
叙述の如く構成された本形態において、既存のドア体が設けられる既存のドア装置から既存のドア体を取外し、防犯性の高い新規の施錠装置を構成する新規第一、第二、第三施錠具Ｒ、８、９が設けられた操作装置４を具備する新規ドア体２にリフォームするにあたり、戸先側ドア枠７には、新規第一、第二、第三施錠具Ｒ、８、９に対応する新規第一、第二錠受け金具１２、１３を設けることになるが、このものでは、戸先側ドア枠７のドア体側端面７ａに、新規第一、第二錠受け金具１２、１３を挿入するための新規第一、第二開口７ｂ、７ｃを開設する一方、新規のドア体側端面として機能するベースプレート１１に第一、第二錠受け金具１２、１３を予め一体的に固定した錠受けユニット１０を形成し、該錠受けユニット１０のベースプレート１１をドア体側端面７ａに突当てて固定することにより、新規第一、第二錠受け金具１２、１３を、ドア体側端面７ａの新規第一、第二開口７ｂ、７ｃを介して戸先側ドア枠７内に挿入する状態で組込み固定することができる。この結果、新規ドア体２にリフォームするべく新規第一、第二錠受け金具１２、１３を設けるにあたり、ドア体側端面７ａには新規ドア体側端面として機能するベースプレート１１が設けられるだけで、出入り口部の間口幅を殆ど変えることがなく、既存のドア枠３を用いるものでありながら、従来の既存の戸先側ドア枠に新規の戸先側ドア枠を積層状に設けるもののように、特別仕様の間口幅を有した新規ドア体を用意する必要がなく、しかも、ベースプレート１１を固定することで新規第一、第二錠受け金具１２、１３を戸先側ドア枠７に固定することができ、リフォーム作業が容易になって、工期の短縮が実現してコスト低下に寄与できる。
【００２５】
さらに、本発明が実施されたものにあっては、新規の操作装置４には、新規第一、第二、第三施錠具Ｒ、８、９が設けられ、戸先側ドア枠７側には二つの新規第一、第二錠受け金具１２、１３を設ける必要があるが、これら新規第一、第二錠受け金具１２、１３は一枚のベースプレート１１に組込まれて一つの錠受けユニット１０に構成されているので、該錠受けユニット１０を戸先側ドア枠７のドア体側端面７ａに固定することで第一、第二錠受け金具１２、１３の両者を戸先側ドア枠７に取付けることができて、リフォーム工程を一層削減することが可能となる。
【産業上の利用可能性】
【００２６】
本発明は、玄関等の外部に露出するような箇所に設けられるドア装置をリフォームする場合に利用することができる。
【符号の説明】
【００２７】
１  新規ドア装置
２  新規ドア体
３  ドア枠
４  操作装置
６  操作ハンドル
６ａ  ラッチボルト
７  戸先側ドア枠
７ａ  ドア体側端面
７ｂ  新規第一開口
７ｅ  既存第一開口
８  新規第一シリンダー錠
８ａ  新規第一デッドボルト
８ｄ  第一補助施錠片
９  新規第二シリンダー錠
１０  錠受けユニット
１１  ベースプレート
１１ａ  第一貫通孔
１２  新規第一錠受け金具
１３  新規第二錠受け金具
１４  新規第一ロックプレート
１６  新規第一カバー体
１８  既存第一錠受け金具
【図１】
0005570885.tif 000002
【図２】
0005570885.tif 000003
【図３】
0005570885.tif 000004
【図４】
0005570885.tif 000005
【図５】
0005570885.tif 000006
【図６】
0005570885.tif 000007
【図７】
0005570885.tif 000008